(57)【特許請求の範囲】
【請求項１】
角度調整用脚が機器の底部に取り付けられる角度調整装置において、
前記角度調整用脚は、四角柱形状体であり、前記角度調整用脚の対向する２つの外面にそれぞれ形成された長いスライド用溝と、前記長いスライド用溝の端部にそれぞれ形成された壁ストッパと、前記角度調整用脚の対向する他の２つの外面にそれぞれ形成された短いスライド用溝と、前記短いスライド用溝の端部にそれぞれ形成された壁ストッパとを有し、
前記底部には、筒形状孔が形成され、
前記筒形状孔は、前記筒形状孔の対向する２つの内面のみにそれぞれ形成された溝用レールと、前記溝用レールの端部にそれぞれ形成された受け側ストッパとを有し、
前記長いスライド用溝と前記短いスライド用溝とは、選択されて前記溝用レールにガイドされることが可能であり、
前記２つの壁ストッパは、選択されて前記受け側ストッパと当接することが可能であり、
角度を調整するときは、前記角度調整用脚を前記筒形状孔から引き出して前記角度調整用脚を９０°回転させた後、前記角度調整用脚を前記筒形状孔内に押し込むことを特徴とする角度調整装置。
【請求項２】
前記柱形状体は直方体であり、前記筒形状孔は４角筒であることを特徴とする請求項１記載の角度調整装置。
【請求項３】
前記筒形状孔の少なくとも片側には、手指挿入用の凹部が形成され、前記長いスライド用溝に形成された壁ストッパと前記受け側ストッパとが当接する際に、前記角度調整用脚の下面と前記機器の底面とが面一、もしくは、前記角度調整用脚の下面が前記機器の底面より内部に入り込んでいることを特徴とする請求項２記載の角度調整装置。
【請求項４】
前記角度調整用脚は平行な２本の前記長いスライド用溝と平行な２本の前記短いスライド用溝を有し、前記筒形状孔は平行な２本の前記溝用レールを有することを特徴とする請求項１記載の角度調整装置。
【発明の詳細な説明】
【技術分野】
【０００１】
本発明は、テレビジョン受像機、キーボード又はプロジェクタ等の機器の画面又は操作面の角度を調整する角度調整装置に関する。
【背景技術】
【０００２】
従来の第１の角度調整装置について、本出願前に頒布された刊行物を引用して説明する（例えば、特許文献１参照。）。
【０００３】
図４に示されるように、テレビジョン受像機のキャビネット２１には、角度調整脚２２と、レバー２３と、シャフト２４と、係止部材２５と、脚ホルダ２６と、圧縮コイルスプリング２７と、圧縮コイルスプリング２８とから構成される角度調整装置が、設けられている。
【０００４】
角度調整装置の各部について説明すると、角度調整脚２２には、複数の鋸歯状のストッパ２２ａが形成され、角度調整脚２２の大部分は、脚ホルダ２６の内部に収納されている。脚ホルダ２６の天面２６ａと角度調整脚２２の上端面２２ｂとの間には、圧縮コイルスプリング２７が配置され、圧縮コイルスプリング２７は角度調整脚２２を下方に押し出すように付勢している。
【０００５】
脚ホルダ２６の中間部に略直角に連結されているシャフト保持部２６ｂの内部には、ストッパ２２ａの形状に対応する係止部材２５が収納されている。係止部材２５は、シャフト２４に固定され、圧縮コイルスプリング２８に付勢されてストッパ２２ａを押圧係止している。シャフト２４は、シャフト保持部２６ｂの横蓋２６ｃに開けられている孔２６ｄを貫通し、圧縮コイルスプリング２８の中空部を経て係止部材２５と連結する。
【０００６】
レバー２３は、支点２３ａに回転可能に取り付けられ、全体が略Ｌ字型に形成され、その一方の端部は半円形に形成されてシャフト２４と回動可能に連結され、その他方の端部はキャビネット２１に開けられたスリット２１ａから外部に突出する。
【０００７】
なお、脚ホルダ２６は、一対のビス２９，２９によりキャビネット２１に固定されている。
【０００８】
前記角度調整装置を使用してテレビジョン受像機の角度調整を行う場合、まず、操作者の手指によってレバー２３を支点２３ａを中心として左回転させると、シャフト２４は矢印Ａ方向に移動する。すると、係止部材２５がストッパ２２ａから離脱するので、角度調整脚２２は、圧縮コイルスプリング２７の拡張力により脚ホルダ２６から押し出される。
【０００９】
次に、この状態でキャビネット２１を所望の角度に位置するように調整し、所望の角度に位置したときに、レバー２３から操作者の手指を離すと、係止部材２５は圧縮コイルスプリング２７の拡張力により再びストッパ２２ａに係止する。したがって、キャビネット２１は、所望の角度に保持される。
【００１０】
従来の第２の角度調整装置について、本出願前に頒布された刊行物を引用して説明する（例えば、特許文献２参照。）。
【００１１】
図５と図６（Ａ）〜（Ｃ）に示されるように、キーボードの本体３１の底板３２には、トラック状の孔３２ａが開けられている。孔３２ａの長手方向を方位角θ０とする。脚部３３は、下方からトラック状の第１太軸部３３ａ、細軸部３３ｂ、トラック状の第２太軸部３３ｃ、細軸部３３ｂ、トラック状の第３太軸部３３ｄの順序で構成される。第３太軸部３３ｄの頂部には、孔３２ａよりも大きいトラック状のストッパ３３ｅが形成されている。２つの細軸部３３ｂは、１本の細軸に設けられ、第１太軸部３３ａ、第２太軸部３３ｃ及び第３太軸部３３ｄは、１本の細軸に固定されている。
【００１２】
図５の状態において、第１太軸部３３ａの方位角θ１は、孔３２ａの方位角θ０とは９０゜相違する。第２太軸部３３ｃの方位角θ２は、孔３２ａの方位角θ０と一致する。第３太軸部３３ｄの方位角θ３は、第１太軸部３３ａの方位角θ１と一致する。
【００１３】
各細軸部３３ｂの長さは、底板３２の厚さよりも長く、各細軸部３３ｂの直径は、孔３２ａの短手方向の長さよりも小さい。
【００１４】
キーボードの本体３１の角度調整について説明する。
【００１５】
図６（Ａ）は、脚部３３が本体３１に収容されている状態である。底板３２は基準面に接触しているから、底板３２の角度は０゜である。
【００１６】
図６（Ｂ）は、第１太軸部３３ａを本体３１から引き出して、孔３２ａに当接するようにＡ−Ａ軸を中心として回転した状態（すなわち、図５の状態）である。底板３２は基準面に第１太軸部３３ａを介して支持されるから、底板３２の角度は例えば５゜である。
【００１７】
図６（Ｃ）は、第２太軸部３３ｃを本体３１から引き出して、孔３２ａに当接するようにＡ−Ａ軸を中心として９０°回転した状態である。底板３２は基準面に第１太軸部３３ａと細部軸３３ｂと第２太軸部３３ｃを介して支持されるから、底板３２の角度は例えば１０゜である。
【先行技術文献】
【特許文献】
【００１８】
【特許文献１】実開昭６１−１３６６８０号公報
【特許文献２】実開昭６２−１２３８号公報
【発明の概要】
【発明が解決しようとする課題】
【００１９】
従来の第１の角度調整装置は、角度調整脚と、レバーと、シャフトと、係止部材と、脚ホルダと、２個の圧縮コイルスプリングとから構成される。したがって、部品点数が多く、また、構造が複雑であり、更に、組立分解が煩雑であり、更に、装置が大型になる。
【００２０】
従来の第２の角度調整装置は、３個の太軸部と１本の細軸と底板とから構成され、また、太軸部の方位角を異なるように組み立てなければならない。したがって、構造が複雑であり、また、組立分解が煩雑である。
【００２１】
そこで、本発明は、前記従来の２つの角度調整装置の欠点を改良し、部品点数が少なく、また、構造が簡素であり、更に、組立分解が簡便であり、更に、装置がコンパクトな角度調整装置を提供しようとするものである。
【課題を解決するための手段】
【００２２】
本発明は、前記課題を解決するため、次の手段を採用する。構成の次に括弧を付けて実施例における部材部位の符号を記入する。
【００２３】
１．角度調整用脚（４）が機器（１）の底部（２）に取り付けられる角度調整装置において、前記角度調整用脚は、四角柱形状体であり、前記角度調整用脚の対向する２つの外面にそれぞれ形成された長いスライド用溝（４ａ１）と、前記長いスライド用溝の端部にそれぞれ形成された壁ストッパ（４ａ２）と、前記角度調整用脚の対向する他の２つの外面にそれぞれ形成された短いスライド用溝（４ｂ１）と、前記短いスライド用溝の端部にそれぞれ形成された壁ストッパ（４ｂ２）とを有し、前記底部には、筒形状孔（２ａ）が形成され、前記筒形状孔は、前記筒形状孔の対向する２つの内面のみにそれぞれ形成された溝用レール（２ａ１ａ）と、前記溝用レールの端部にそれぞれ形成された受け側ストッパ（２ａ１ｂ）とを有し、前記長いスライド用溝と前記短いスライド用溝とは、選択されて前記溝用レールにガイドされることが可能であり、前記２つの壁ストッパは、選択されて前記受け側ストッパと当接することが可能であり、角度を調整するときは、前記角度調整用脚を前記筒形状孔から引き出して前記角度調整用脚を９０°回転させた後、前記角度調整用脚を前記筒形状孔内に押し込む角度調整装置。
【００２４】
２．前記柱形状体は直方体であり、前記筒形状孔は４角筒である前記１記載の角度調整装置。
【００２５】
３．前記筒形状孔の少なくとも片側には、手指挿入用の凹部（２ｂ）が形成され、前記長いスライド用溝に形成された壁ストッパと前記受け側ストッパとが当接する際に、前記角度調整用脚の下面と前記機器の底面とが面一、もしくは、前記角度調整用脚の下面が前記機器の底面より内部に入り込んでいることを特徴とする前記２記載の角度調整装置。
【００２６】
４．前記角度調整用脚は平行な２本の前記長いスライド用溝と平行な２本の前記短いスライド用溝を有し、前記筒形状孔は平行な２本の前記溝用レールを有する前記１記載の角度調整装置。
【発明の効果】
【００２７】
明細書の説明から明らかなように、本発明は、次の効果を奏する。
【００２８】
１．角度調整用脚と機器の底部の孔とから構成されるので、部品点数が少なく、また、構造が簡素であり、製作が容易である。
【００２９】
２．角度調整用脚の長いスライド用溝と短いスライド用溝とが、それぞれ筒形状孔の溝用レールにガイドされるので、機器の角度をスムーズに調整することができる。
【００３０】
３．組立分解が簡易である。
【００３１】
４．装置がコンパクトである。
【００３２】
５．装置のコストが安価である。
【図面の簡単な説明】
【００３３】
【図１】本発明の実施例１の角度調整装置が取り付けられている機器の側面図であり、（Ａ）は同機器の底部が基準面に平行に設置された状態を示し、（Ｂ）は角度調整用脚が同底部から突出した状態を示す。
【図２】同底部における要部の斜視図である。
【図３】（Ａ）は、同底部に形成されている孔の詳細図である。（Ｂ）は、下方側から見た同角度調整用脚の斜視図である。（Ｃ）は、上方側から見た同角度調整用脚の斜視図である。
【図４】従来の第１の角度調整装置が取り付けられているテレビジョン受像機のキャビネットの断面図である。
【図５】従来の第２の角度調整装置の斜視図である。
【図６】従来の第２の角度調整装置が取り付けられているキーボードの本体の側面図であり、同本体の角度の変化を順次（Ａ），（Ｂ），（Ｃ）に示す。
【発明を実施するための形態】
【００３４】
本発明の一実施例の角度調整装置について説明する。
【実施例１】
【００３５】
本発明の実施例１について図１〜図３を参照して説明する。
【００３６】
図１(Ａ)は、機器１の底部２を基準面１１に平行に設置した状態を示す側面図である。ディスプレー面３は、基準面１１に対して傾斜している。
【００３７】
図１（Ｂ）は、角度調整用脚４を機器１の底部２から突出することによって、底部２を基準面１１に対して傾斜するように設置した状態を示す側面図である。ディスプレー面３は、基準面１１に対して一層傾斜している。
【００３８】
図２は、機器１の底部２における要部の斜視図である。
直方体形状の角度調整用脚４は、底部２に形成されている４角筒形状の孔２ａ（図３（Ａ）参照）に挿入されている。
孔２ａの両側には、角度調整用脚４を孔２ａから引き出すことと、孔２ａ内に押し込むことのために、作業者の２本の手指を挿入することができる一対の凹部２ｂが形成されている。
孔２ａは、通常、底部２の２箇所に形成されている。
【００３９】
角度調整用脚４の下面には、機器１の基準面１１に対するスリップを防止するために、ゴム足４ｄが取り付けられている。
【００４０】
図３（Ａ）は、機器１の底部２に形成されている孔２ａの詳細図である。
４角筒形状の孔２ａにおける対向する２つの内面２ａ１には、それぞれ２本の溝用レール２ａ１ａが形成されている。
各溝用レール２ａ１ａの端部は、受け側ストッパ２ａ１ｂの役割を果たす。
【００４１】
２つの内面２ａ１の外側には、それぞれ凹部２ｂが形成されている。
【００４２】
図３（Ｂ）は、下方側から見た角度調整用脚４の斜視図である。図３（Ｃ）は、上方側から見た角度調整用脚４の斜視図である。
【００４３】
直方体形状の角度調整用脚４における対向する２つの外面４ａには、それぞれ２本の長いスライド用溝４ａ１が平行に形成され、各スライド用溝４ａ１の端部は壁ストッパ４ａ２となる。
他の対向する２つの外面４ｂには、それぞれ２本の短いスライド用溝４ｂ１が平行に形成され、各スライド用溝４ｂ１の端部は壁ストッパ４ｂ２となる。
【００４４】
角度調整用脚４の下面には、ゴム足貼付用凹部４ｃが形成され、ここにゴム足４ｄが取り付けられている。
【００４５】
角度調整用脚４の内部は、中空状に形成されている。
【００４６】
機器１の底部２の基準面１１に対する傾斜角度を変える方法について説明する。
【００４７】
図１（Ａ）の状態において、ディスプレー面３を更に傾斜したい場合には、まず、作業者は、角度調整用脚４を孔２ａから引き出す。
次に、角度調整用脚４を９０°回転させる。続いて、角度調整用脚４を孔２ａ内に押し込む。
すると、２本の短いスライド用溝４ｂ１はそれぞれ２本の溝用レール２ａ１ａにガイドされて、２個の壁ストッパ４ｂ２がそれぞれ２個の受け側ストッパ２ａ１ｂに当接するまで、角度調整用脚４は孔２ａ内に進入する。
したがって、機器１は図１（Ｂ）に示される姿勢に到る。
【００４８】
図１（Ｂ）の状態から図１（Ａ）の状態に機器１の姿勢を変更したい場合には、まず、作業者は、角度調整用脚４を孔２ａから引き出す。
次に、角度調整用脚４を９０°回転させる。
続いて、角度調整用脚４を孔２ａ内に押し込む。
すると、２本の長いスライド用溝４ａ１はそれぞれ２本の溝用レール２ａ１ａにガイドされて、２個の壁ストッパ４ａ２がそれぞれ２個の受け側ストッパ ２ａ１ｂに当接するまで、角度調整用脚４は孔２ａ内に進入する。
したがって、機器１は、図１（Ａ）に示される姿勢に到る。
【００４９】
実施例１においては、角度調整用脚４は４角柱形状で、孔２ａは４角筒形状であるが、それぞれ多角柱形状と多角筒形状に設計変更することができる。更に、それぞれ円柱形状と円筒形状に設計変更することができる。
ただし、機器１の底部２の基準面１１に対する傾斜角度を変える際、角度調整用脚４の回転角度の変更が必要な場合が生じる。
【００５０】
また、角度調整用脚４の１つの外面に長いスライド用溝４ａ１を形成し、他の１つの外面に短いスライド用溝４ｂ１を形成し、孔２ａの１つの内面に溝用レール２ａ１ａを形成するように、設計変更することができる。
【００５１】
更に、凹部２ｂは底部２に一対形成されているが、単一でも、手指の先を角度調整用脚４の周面に係止することによって、角度調整用脚４を孔２ａに対して出入させることができる。
【００５２】
更に、角度調整用脚４の長いスライド用溝４ａ１及び短いスライド用溝４ｂ１と孔２ａの溝用レール２ａ１ａとを、それぞれ１本に構成しても、角度調整用脚４は孔２ａにガイドされる。
【符号の説明】
【００５３】
１  機器
２  底部
２ａ  孔
２ａ１  内面
２ａ１ａ  溝用レール
２ａ１ｂ  受け側ストッパ
２ｂ  凹部
３  ディスプレー面
４  角度調整用脚
４ａ  外面
４ａ１  スライド用溝
４ａ２  壁ストッパ
４ｂ  外面
４ｂ１  スライド用溝
４ｂ２  壁ストッパ
４ｃ  ゴム足貼付用凹部
４ｄ  ゴム足
１１  基準面
【図１】
0004953146.tif 000002
【図２】
0004953146.tif 000003
【図３】
0004953146.tif 000004
【図４】
0004953146.tif 000005
【図５】
0004953146.tif 000006
【図６】
0004953146.tif 000007